(57)【特許請求の範囲】
【請求項１】
複数のワイヤと共に用いられるケーブルコネクタであって、
少なくとも１つの中空の経路を内部に含む中空のコネクタハウジングであって、前記少なくとも１つの中空の経路は、複数のケーブルの端部を内部に受容し、前記ケーブルはそれぞれ、少なくとも一対のワイヤを内部に含み、各ワイヤは、絶縁ジャケットによって包囲された導体を含む、中空のコネクタハウジングと、
本体部を含むケーブルアセンブリであって、前記本体部は、前記コネクタハウジング内に挿入可能であり、前記コネクタハウジング内においてワイヤの集団として前記ケーブルのワイヤを一緒に保持し、前記ワイヤ導体の自由端部は、前記本体部に対して前方方向に延びる、ケーブルアセンブリと、
前記本体部に対して前方に延びた複数の回路基板であって、該回路基板は、相互に間隔を空けて配置され、対向する嵌合縁部及び終端縁部を含み、前記嵌合縁部及び終端縁部は反対方向に延び、前記回路基板は、相互に間隔を空けて配置され、前記ワイヤ導体自由端部は、前記回路基板後端縁部の近隣の回路へと終端される、複数の回路基板と、
を含み、
前記ケーブルアセンブリは、複数の係合部材を含み、該複数の係合部材は、前記コネクタハウジングと係合し、前記アセンブリを前記コネクタハウジング内において所定位置に保持する、
ケーブルコネクタ。
【請求項２】
前記ケーブルアセンブリはスペーサを含み、該スペーサは、前記回路基板を相互に間隔を空けて配置する、請求項１に記載のケーブルコネクタ。
【請求項３】
前記スペーサは、２つの対向する支持面を含み、該２つの支持面それぞれの上には、前記回路基板のうち１つが支持される、請求項２に記載のケーブルコネクタ。
【請求項４】
前記スペーサは位置決め部材をさらに含み、該位置決め部材は、前記回路基板をスペーサ上の事前選択された位置に位置決めする、請求項３に記載のケーブルコネクタ。
【請求項５】
前記位置決め部材により、事前選択された方向のみにおいて前記アセンブリを前記コネクタハウジングへと挿入することが可能となる、請求項４に記載のケーブルコネクタ。
【請求項６】
ワイヤオーガナイザーをさらに含み、該ワイヤオーガナイザーは、前記ケーブルワイヤを事前選択された配置構成に配置し、前記ワイヤオーガナイザーは前記本体部に接する、請求項１に記載のケーブルコネクタ。
【請求項７】
前記本体部はホットメルトを含み、該ホットメルトは前記ワイヤ上に形成され、前記ホットメルトは、前記ワイヤ導体自由端部を前記ケーブルアセンブリ内において空気に露出した状態にするとともに、前記ワイヤオーガナイザーおよびスペーサと接触する、請求項１に記載のケーブルコネクタ。
【請求項８】
前記ワイヤ導体自由端部は、前記本体部の前方の前記回路基板へと終端され、前記コネクタハウジング内において空気に露出される、請求項１に記載のケーブルコネクタ。
【請求項９】
ワイヤオーガナイザーをさらに含み、該ワイヤオーガナイザーは、前記ケーブルワイヤを事前選択された配置構成に配置する、請求項２に記載のケーブルコネクタ。
【請求項１０】
前記本体部は、前記スペーサと前記ワイヤオーガナイザーとの間に配置される、請求項９に記載のケーブルコネクタ。
【請求項１１】
前記係合部材は前記スペーサおよびワイヤオーガナイザー上に配置され、前記スペーサおよびワイヤオーガナイザーから外側方向に延びて、前記コネクタハウジングと接触する、請求項９に記載のケーブルコネクタ。
【請求項１２】
前記コネクタハウジングは分割壁部をさらに含み、該分割壁部は、前記コネクタハウジングの中空経路を通じて長手方向に延び、前記コネクタハウジングの中空経路を分割して２つの中空のサブ経路とする、請求項１に記載のケーブルコネクタ。
【請求項１３】
前記コネクタハウジングは、第２の本体部を有する第２のケーブルアセンブリと複数の第２の回路基板とをさらに含み、前記複数の第２の回路基板に対し、前記第２のケーブルアセンブリ内のケーブルが終端され、前記第１のケーブルサブアセンブリおよび第２のケーブルサブアセンブリは、第１のワイヤオーガナイザーおよび第２のワイヤオーガナイザーをそれぞれ含み、前記第１のワイヤオーガナイザーおよび第２のワイヤオーガナイザーは、各ケーブルアセンブリ内において前記ケーブルと係合し、第１のスペーサおよび第２のスペーサは、前記回路基板を垂直間隔において間隔を空けて配置し、前記本体部は前記ワイヤオーガナイザーとスペーサとの間に配置され、前記第２のケーブルアセンブリは係合部材を含み、前記係合部材は、前記コネクタハウジングと係合し、前記第２のケーブルアセンブリを所定位置において内部に保持する、請求項１２に記載のケーブルコネクタ。
【請求項１４】
前記分割壁部は複数の開口部を含み、各開口部は、少なくとも１つの係合部材を内部に受容する、請求項１３に記載のケーブルコネクタ。
【請求項１５】
前記分割壁部は、前記コネクタハウジングと係合する一対のラッチを含む、請求項１４に記載のケーブルコネクタ。
【請求項１６】
コネクタにおいて用いられるスペーサであって、前記コネクタは、少なくとも２つの回路基板を前記コネクタ用の嵌合ブレードとして用い、
少なくとも２つの支持面と、後尾部とを有するベース部であって、前記少なくとも２つの支持面の上には、前記少なくとも２つの回路基板をが支持され、前記後尾部は、前記ベース部の縁部に沿って前記ベース部から離隔方向に延び、前記後尾部の厚さは前記本体部の厚さと異なり、これにより、前記回路基板へと終端されたケーブルのワイヤの導体を収容する少なくとも２つの凹部が前記後尾部上に規定される、ベース部と、
前記本体部から延びる一対のラッチ部材と、
を含む、スペーサ。
【請求項１７】
一対の位置決めポストをさらに含み、該一対の位置決めポストは、前記本体部上に配置され、その２つの支持面のうち少なくとも１つから離隔方向に延び、前記位置決めポストは相互にオフセットして両者間に領域を規定し、該領域内には、回路基板を挿入することが可能である、請求項１６に記載のコネクタ回路基板スペーサ。
【請求項１８】
一対の平坦な端面をさらに含み、該一対の平坦な端面は、前記スペーサの各前端および後端において配置される、請求項１６に記載のコネクタ回路基板スペーサ。
【請求項１９】
前記ラッチ部材は、前記ベース部から前記後尾部に沿って延び、前記ベース部から片持ち型に形成される、請求項１６に記載のコネクタ回路基板スペーサ。
【請求項２０】
前記ベース部は一対の溝部を含み、前記一対の溝部は、前記ラッチ部材の側面に位置する、請求項１９に記載のコネクタ回路基板スペーサ。
【請求項２１】
ケーブルコネクタであって、
中空の経路を含む中空のコネクタハウジングであって、前記中空の経路は、複数のケーブルの端部を内部に受容し、前記ケーブルはそれぞれ、一対のワイヤと、関連付けられたドレイン線とを内部に含み、各ワイヤは、絶縁ジャケットによって包囲された導体を含む、中空のコネクタハウジングと、
前記コネクタハウジングに挿入可能なケーブルアセンブリであって、該ケーブルアセンブリはワイヤオーガナイザーを含み、該ワイヤオーガナイザーは、前記ケーブルを事前選択された配置構成において一緒に保持する、ケーブルアセンブリと、
前記ケーブルの周囲に形成されかつ前記ケーブルを集団として保持する本体部と、
前記アセンブリ本体部に対して前方に延びる複数の回路基板であって、該回路基板は、相互に間隔を空けて配置され、対向する嵌合縁部及び終端縁部を含み、該嵌合縁部及び終端縁部は、反対方向に延び、前記ケーブルのワイヤの自由端部は、前記回路基板後端縁部の近隣の前記回路基板の回路へと終端される、複数の回路基板と、
該回路基板を相互に間隔を空けて配置するスペーサであって、前記本体部は、前記ワイヤオーガナイザーと前記スペーサとの間に配置される、スペーサと、
を含み、
前記ケーブルアセンブリは複数の係合部材を含み、前記複数の係合部は、前記コネクタハウジングと係合し、前記アセンブリを前記コネクタハウジング内において所定位置に保持する、
ケーブルコネクタ。
【発明の詳細な説明】
【技術分野】
【０００１】
本出願の開示は、主にプラグコネクタの構造に関し、より詳細には、向上したインピーダンス特性を有する高速プラグコネクタに関する。
【背景技術】
【０００２】
多くの異なる種類のケーブルコネクタが公知である。このようなコネクタの１つについて、米国特許第７，１７５，４４４号に記載がある。本明細書中、同文献の内容全体を参考のため援用する。米国特許第７，１７５，４４４号中に開示されているコネクタにおいては、前記コネクタの嵌合ブレードとして用いられるプリント回路基板上の接触パッドへとケーブルワイヤが接続される。これらのワイヤは、終端ネスト領域内の接触パッドへと終端された後、プラスチックによってオーバーモールドされる。プラスチックの誘電率は空気よりも高いため、それによりコネクタのインピーダンスに影響、典型的にはインピーダンスの低下、が生じる。このようなインピーダンス低下が発生した場合、当該インピーダンス低下の大きさに応じて、コネクタ動作に悪影響が発生し得る。動作速度およびデータ伝送速度が低く（例えば、１Ｇｂ／ｓ）かつインピーダンス低下が８〜１０オームを越えていれば、コネクタ内への過剰なノイズは発生しないかもしれない。しかし、速度およびデータ伝送速度が例えば約８〜１２Ｇｂ／ｓまで上昇した場合、問題となるレベルまでノイズが上昇する。インピーダンス低下レベルが高くなった場合、コネクタ内へのノイズおよびクロストークが発生し易くなる。
【０００３】
しかし、プラスチックをオーバーモールドすることが望ましい。なぜならば、プラスチックをオーバーモールドすれば、外部ハウジング内のワイヤおよび回路基板の位置発見と、単一コネクタ構造の形成とのための信頼性のある手段を提供するからである。さらに、プラスチックのオーバーモールドを行えば張力緩和も得られるため、プリント回路基板への接合接続部または半田接続部がケーブル上への直接的牽引力から保護される。さらに、オーバーモールド部を除去した場合、非単一構造が発生する。
【０００４】
よって、本出願の開示は、望ましいインピーダンスプロファイルおよびロバストなコネクタ構造を備えたプラグコネクタに関する。
【発明の概要】
【０００５】
本出願の開示の目的は、ロバストな構造を維持しつつ向上したインピーダンスプロファイルを備えたプラグコネクタ構造を提供することである。
【０００６】
この点について、本明細書中に記載されるコネクタは、複数のワイヤケーブルを含む。前記ケーブルのうちいくつかは、複数対の信号ワイヤおよびドレイン線を含む。ワイヤオーガナイザーが設けられる。前記ワイヤオーガナイザーは、個々のワイヤ上をスリップして前記ワイヤをしっかりとグリップする。このワイヤオーガナイザーは、後壁部またはコネクタアセンブリの部分を規定し、外側ハウジングへと挿入することができる。これらのワイヤは、自由端部を有する。これらの自由端部は、肉薄の内側導体を露出させる。これらの導体は、複数の回路基板上の接触パッドへと終端する。前記コネクタの好適な実行において、２つの回路基板またはカードが利用される。
【０００７】
スペーサ要素がさらに提供される。前記スペーサ要素は、先ず前記複数の回路基板を相互に垂直方向において離隔させる。第２に、ある他の態様が前記スペーサ構造内に設けられ、これにより、前記スペーサ構造が前記回路基板に組み付けられると、前記スペーサ構造は前記回路基板を方向付け、これにより、前記回路基板はアセンブリとして外部コネクタハウジング内への適切に挿入され、反対側の嵌合コネクタと嵌合する。第３に、前記スペーサは前記ワイヤオーガナイザーから事前選択された距離を空けて配置されるため、前記スペーサにおいて後面が得られる。この後面は、前記ケーブルに塗布されたホットメルト（典型的には熱硬化性接着剤）から形成された本体部の第１の境界を規定する。また、前記ワイヤオーガナイザーにおいて前面も得られる。この前面は、この本体部の第２の境界を規定する。このようにして、前記ワイヤオーガナイザーおよび前記スペーサは、協働して前記本体部の境界を規定する。
【０００８】
前記ワイヤオーガナイザーとスペーサとの間のケーブル上に前記本体部が形成されると、前記本体部によって前記ワイヤが所定位置に固定され、前記本体部は前記オーガナイザーおよびスペーサと協働してケーブルアセンブリを形成する。前記ケーブルアセンブリにおいて、前記ワイヤは所望の間隔で保持された回路基板へと終端される。前記ワイヤの導体の露出端部は、前記回路基板上の対応する接触パッドへと終端されるが、前記ホットメルトは、前記導体終端部を包囲しない。そのため、前記終端部およびその関連付けられた導体は空気によって包囲される。空気はホットメルトまたはプラスチックよりも誘電率が低いため、前記終端部におけるコネクタシステムのキャパシタンスが低下する。このようにしてキャパシタンスが上昇すると、前記本体部を前記導体終端部上に流動させた場合よりもインピーダンス低下が少なくなり、その結果、高速データにおける有害なノイズの原因となり得るインピーダンスプロファイルの大幅な低下が縮小する。
【０００９】
完成したケーブルアセンブリは、前記回路基板の前端部（または嵌合端部）を包囲する中空の外部コネクタハウジングに挿入することができる。前記スペーサは好適には、アセンブリ全体のための極性機能が設けられる。この極性機能により、前記アセンブリのみを前記外側ハウジングに適切な方向において挿入することが可能となる。さらに、前記オーガナイザーおよび前記スペーサ双方に、取っ手または留め具形状の係合部材を設けることができる。これらの係合部材は、前記外側ハウジング内に形成された補完的形状の凹部または開口部と係合する。
【００１０】
さらに、多重コネクタハウジング（例えば、タンデムコネクタハウジング）が提供される前記多重コネクタハウジングの構造内に、２つのケーブルサブアセンブリを挿入することができる構造を提供及び包含する。挿入可能な壁部材が設けられる。前記挿入可能な壁部材は、前記外側コネクタハウジングの内部に形成された溝部内にスリップする。この壁部材内には、１つ以上のラッチ開口部が形成される。これら１つ以上のラッチ開口部は、前記ケーブルサブアセンブリの一部として形成されたラッチまたは留め具と係合する。よって、前記ハウジングを所望の数のケーブルサブアセンブリを受容するように変更することにより、複数のコネクタを得ることができる。
【００１１】
本出願の開示の上記および他の目的、利点および恩恵は、以下の詳細な説明を読めば明らかとなる。
【図面の簡単な説明】
【００１２】
本出願の開示の全体において、図面を参照する。図面中、類似の参照符号は類似の要素を指す。
【００１３】
【図１】本出願の開示のプラグコネクタの斜視図である。
【図２】図１のプラグコネクタの逆転斜視図である。
【図３】図１のプラグコネクタの部分分解図であり、内部ケーブル回路基板アセンブリおよび本体部がコネクタハウジングから取り外されている。
【図３Ａ】図３と同じ図であり、本体部がケーブルへと付加されている。
【図４】図３の回路基板アセンブリの前端部の拡大図である。
【図５】図４と同じ図であるが、より詳細な分解図である。
【図６】図４と同じ図であるが、回路基板およびスペーサの分解図である。
【図７Ａ】図１のプラグコネクタ内のスペーサの斜視図である。
【図７Ｂ】図７Ａのスペーサの左側の立面図である。
【図７Ｃ】図７Ａのスペーサの平面図である。
【図７Ｄ】図１のスペーサの正面図である。
【図８】図１のプラグコネクタの線Ａ−Ａに沿った長手方向断面図である。
【図９】図２のプラグコネクタの線Ｂ−Ｂに沿った長手方向断面図である。
【図１０Ａ】図１のプラグコネクタの線Ｃ−Ｃに沿った長手方向断面図である。
【図１０Ｂ】図１０Ａと同じ図であるが、前記外側コネクタハウジングの上側横断壁部の下側の水平方向面に沿ってとられた部分も示す。
【図１１】図１０のコネクタの線Ｄ−Ｄに沿った４分の１断面図である。
【図１２】タンデム形式のプラグコネクタの斜視図である。
【図１３】図１２と同じ図であるが、明確さのためにケーブルアセンブリを除去している。
【図１４Ａ】図１２のプラグコネクタのタンデムハウジングの斜視図である。
【図１４Ｂ】図１４Ａと同じ図であるが、後方からとられた図である。
【図１５Ａ】図１４Ａと同じ図であるが、分割壁部材が除去されている。
【図１５Ｂ】図１５Ａと同じ図であるが、後方からとった図である。
【図１６Ａ】図１４Ａのコネクタハウジングの線Ｅ−Ｅに沿った断面図である。
【図１６Ｂ】図１４Ｂのコネクタハウジングの線Ｆ−Ｆに沿った断面図である。
【図１６Ｃ】図１２のコネクタの線Ｇ−Ｇに沿った断面図である。
【発明を実施するための形態】
【００１４】
図１は、以下の詳細な開示に従って構築されたプラグコネクタ５０を示す。コネクタ５０はプラグ型コネクタであり、関連付けられた導体５５を有する複数のワイヤ５４をそれぞれ含む複数の多重ワイヤケーブル５２を電気的に接続するために用いられる。これらのケーブルのうちいくつかは、複数対のワイヤを含む。これら複数対のワイヤは、差動信号を前記ワイヤ対にわたって伝送するために用いられる。そのため、ケーブル５２は、当該分野において「ｔｗｉｎａｘ」ケーブルと呼ばれ、差動信号を伝送するために用いられる。このようなワイヤ対はそれぞれ、関連付けられた接地またはドレイン線５６を含む。ケーブル５２のワイヤ５４は、プリント回路基板５８および５９へと終端される。これらプリント回路基板５８および５９は、長細形状であり、概して矩形構成を有する。このようなプリント回路基板は、当該分野において「パドルカード」として知られ、このような基板はそれぞれ、対向する先端縁部および後端縁部６０および６２または先端端部および後端端部６０および６２を有する。コネクタ５０は、中空経路５３を有する長細形状の中空のコネクタハウジング５１を含む。中空経路５３は、コネクタ５０内を長手方向に延び、ケーブルアセンブリ６８を受容する。
【００１５】
コネクタ５０が通常方向にある様子が図示されており、コネクタハウジング５１上の上側平坦面は、前記コネクタの「上部」を形成し、ラッチ機構１１０がコネクタ５０の「下部」上に配置される。この方向において、ラッチ係合面を有する電子デバイスを該デバイスの嵌合レセプタクルの下部に沿って接続する。本発明の開示のコネクタは、ラッチ機構１１０がコネクタハウジング５１の上部に配置される用途において用いることが可能であるため、「上部」、「下部」、「上側」および「下側」などの表現は、前記コネクタが用いられる環境を記述するために用いられるものであり、特定の方向に限定されないことが理解される。
【００１６】
回路基板５８および５９の先端縁部６０は、コネクタ５０に対して前方に延び、嵌合コネクタ（図示せず）の対向する溝部内に受容される嵌合ブレードとして機能する。回路基板５８および５９の先端縁部６０は前方に延びて、対向する溝部内に受容されるため、図示のコネクタ５０は雄とみなされ、プラグ端部を有するコネクタを繰り返し嵌合コネクタへと挿入および嵌合コネクタから取り外すことができる。前記嵌合コネクタは、単一のプラグのみを受容する単一のコネクタであってもよいし、あるいは、本明細書中に以下に説明するように複数のプラグを受容してもよい。
【００１７】
回路基板５８および５９は、接触パッドを有する。これらの接触パッドは、先端縁部６０および後端縁部６２の近隣の回路基板５８および５９の外面上に配置される。後端縁部６２の近隣の接触パッド６４は終端パッドであり、この終端パッドにおいて、ワイヤ導体５５の自由端部が半田付けなどによって取り付けられる。前記回路基板の先端縁部６０の近隣の接触パッド６５は、嵌合パッドである。これらの嵌合パッドは、前記嵌合コネクタの端子（図示せず）と接触する。これら２組の接触パッド６４および６５は、回路基板５８および５９の長手方向において相互に間隔を空けて配置され、当該分野において公知のように前記基板の導電性回路を介して相互接続される。回路基板５８および５９は垂直方向において相互に間隔を空けて配置され、これにより、嵌合コネクタの同様に間隔を空けて配置された溝部内に回路基板５８および５９を収容することが可能となる。
【００１８】
図４〜図６に最良に示すようなスペーサ７０は、事前選択された垂直間隔を回路基板５８と回路基板５９との間に規定するように設けられる。スペーサ７０は、図７Ａおよび図８に最良に示すような階段型プロファイルを有し、ベース部７２の次に後尾部７３が続く。後尾部７３の厚さはベース部７２よりも厚さが薄いため、ベース部７２の後方においてベース部７２に隣接して２つの凹部が規定される。ベース部７２は、２つの対向する平坦面７４を有する。これら２つの対向する平坦面７４はそれぞれ、上部回路基板５８および下部回路基板５９を事前選択された垂直間隔で支持し、これにより、回路基板５８および５９は、嵌合コネクタの対向する溝部（図示せず）内に受容される。同様に、後尾部７３は、間隔を空けて相互に配置された平坦な対向面７５と、ベース平坦面７４とを有し、これにより、２つの凹部７７を有効に規定する。これら２つの凹部７７において、ワイヤ５４のうちいくつかの（導体５５の）自由端部が延びる。この様子が、図６のワイヤアレイの上部から第２のワイヤ行が延びており、参照符号７６によって示されている。好適には、これらの凹部７７の深さは、ワイヤ導体５５の直径を収容できるくらいに十分であり、これにより、回路基板５８および５９がベース平坦面７４上において適切に嵌められる。ワイヤ導体５５の自由端部のみが後尾部平坦面７５上に延び、ワイヤ外側絶縁部はいずれも後尾部平坦面７５上に延びないため、前記導体自由端部は回路基板終端部接触パッド６４上に延び、回路基板終端部接触パッド６４と接触する。
【００１９】
スペーサ７０はまた、２つの対向する前平面７８および後平面７９を有する。前面７８は、前記コネクタの嵌合面の一部をコネクタハウジング５１の部分と共に形成する。後面７９は、２つの回路基板間に延び、他のものと協働して停止面を形成する。この停止面について、以下により詳細に説明する。回路基板５８および５９を正しい方向において確実に組み立てるために、回路基板５８および５９にノッチまたは切り欠け部８０を設けると好適である。ノッチまたは切り欠け部８０は、ポストまたは取っ手８２ａ〜８２ｂと係合する。これらのポストまたは取っ手８２ａ〜８２ｂは、スペーサ７０（特にベース部７２）から離隔方向に延びる。図面中、これらのポスト８２がスペーサ７０から上方および下方に突出する様子が図示されている。図面（特に図４、図７Ｂおよび図７Ｄ）から分かるように、これらのポスト８２は長手方向において距離Ｄだけ離隔して交互配置され、これにより、回路基板５８および５９が対向する嵌合コネクタと共に適切に方向付けられた場合にのみ、回路基板５８および５９をスペーサ７０上において係合および静止させることが可能となる。スペーサベース部７２が回路基板５８および５９を事前選択された所望の間隔で垂直方向において固定するのに対し、ポスト８２ａ〜８２ｂは、前記回路基板を水平方向においてコネクタハウジング５１に対して配置する。
【００２０】
個々の回路基板５８および５９をスペーサ７０および得られるケーブルアセンブリ６８に対して配置するのに加えて、スペーサ７０は、キーイングまたは極性機能も含む。このキーイングまたは極性機能は、異なる長さの突出するポスト８２の形態をとる。スペーサ７０の片側上のポスト８２ａの長さまたは高さは、ポスト８２ｂの長さまたは高さあるいはスペーサ７０のその他の側部と異なる。図面中、スペーサ７０の上半分部上のポスト８２ａがスペーサ７０の下側上のポスト８２ｂよりも高い様子が図示されている。これらのポストの高さの差は、ケーブルアセンブリをコネクタハウジング５１（図８）に挿入した後の内部経路５３の上部および下部の高さの同様の差に対応する。挿入時におけるポスト８２ａおよび８２ｂは、スペーサ肩部９６が内側停止壁部９８と接触するまで、内部上面１３０および内部下面１３１に沿って乗る。ハウジング経路５３の停止壁部９８によって規定された開口部９９は、停止壁部９８の上部および下部の高さに差だけオフセットされている。これおよびポスト８２ａおよび８２ｂは、ケーブルアセンブリ６８ならびに関連付けられた回路基板５８および５９をコネクタハウジング経路５３内の所定位置に方向付ける。ケーブルアセンブリ６８を誤った方向（例えば、図示の方向と上下逆の方向）に挿入した場合、より背の高いポスト８２ａに起因して、回路カードと開口部９９とのアライメントが強制解除され、その結果、アセンブリの誤りが回避される。この機能により、完成したアセンブリ６８を正しい方向のみにおいてコネクタハウジング５１に挿入することが可能となる。また、この機能により、回路基板５８および５９ならびにコネクタ５０の組み立ても容易かつ適切となる。
【００２１】
コネクタハウジング５１との係合手段をスペーサ７０および前記ケーブルアセンブリへ提供するために、スペーサ７０は、少なくとも１つの係合またはラッチ部材９０を含む。２つのこのようなラッチ部材９０を図１〜図１１に示す。ラッチ部材９０は、例えば射出成形によってスペーサ７０と一体形成され、図１１に最良に示すように片持ち型に形成される。図１１は、スペーサ７０を通じた後尾部平坦面７５の高さに沿った水平断面図である。１種の構造において示されているように、一対の溝部９２ａ〜９２ｂをこの高さにおいて形成し、ラッチ部材９０の側面に位置し、一定角度において延びるようにすることで、ラッチ部材９０が片持ち型となる。その結果、ラッチ９０を所望のレベルで撓ませることが可能となる。他の種類の片持ち構造も適切である。各ラッチ部材は、拡大端部９３と、角度付き前面９４とを有し、これにより、コネクタハウジング５１の中空内部５３へのスペーサ７０の挿入が容易になる。ラッチ部材９０はスペーサ７０と一体形成されているため、ラッチ部材９０およびスペーサ７０は協働して、コネクタハウジング５１内の最も前方位置において前記回路基板を保持する。係合部材８９および９０は、前記係合部材の後面が開口部１２４の後面１２５へ接するように、コネクタハウジング５１の開口部１２４内に受容される。
【００２２】
片持ちアームの拡大端部は、成形階段部を有する。これらの成形階段部により、前記ハウジング内に前記スペーサを前方に押圧する距離に応じて、前記スペーサの保持位置が得られる。構成要素の公差に起因して、スペーサ位置に変動が生じる場合がある。そのため、前記階段部により、個々の構成要素全ての公差の蓄積から独立して前記スペーサ／パドルカードを最も前方の位置に常に配置する手段が得られる。
【００２３】
後尾部７３の幅はベース部７２よりも狭くなっており、これにより、ラッチ部材９０の撓みを受容する領域が規定される。スペーサ７０の前面（特にベース部７２の前面）は、コネクタハウジング５１の内部と係合するように構築される。図示のように、スペーサ７０は、突起部９５を含む。突起部９５の側方には、２つの肩部９６が位置する。コネクタハウジング５１は、内側停止壁部９８を有する。内側停止壁部９８は、中空の経路５３の内部の周囲において内側方向に延び、内側停止壁部９８内には開口部９９が設けられる。開口部９９のサイズは、周囲の中空の経路５３よりも小さい。この開口部は、ベース突起部９５を受容する。肩階段部９６は停止壁部９８と係合し、好適には停止壁部９８に接する。この点について、回路基板５８および５９の幅は好適には、開口部９９の幅よりも若干短く、これにより、コネクタハウジング５１の前部によって規定された嵌合レセプタクル９７内で干渉すること無く前方に突出する。
【００２４】
ワイヤオーガナイザー８５も設けられる。ワイヤオーガナイザー８５は、ブロック状部材８６を含む。ブロック状部材８６内には、複数の開口部８７ａおよび８７ｂが配置される。これらの開口部８７ａ〜８７ｂは、ケーブル５２を収容するように配置され、また、選択されたケーブル５２を視認者の基準枠に応じて数本の行または列として配列するように配置される。図５に最良に示すように、４列に配列された２つの開口部８７ａ〜８７ｂが図示されており、これらの行は、垂直方向において相互にアライメントされる。これらの開口部８７ａは、差動信号ワイヤ５４と関連付けられたドレイン線とを含むケーブル５２を収容する。各ケーブル５２は、一対の信号ワイヤ５４ａおよび５４ｂと、関連する接地またはドレイン線５６とを含む。これらの信号ワイヤ５４ａおよび５４ｂは、高速のデータ伝送速度での差動信号を伝送するために用いられる。その他のオーガナイザー開口部８７ｂは、電源線または他のワイヤ５７を収容する。オーガナイザ８５が外側コネクタハウジング５１内に保持されるように外側コネクタハウジング５１を係合する手段をオーガナイザー８５に提供するために、オーガナイザ８５は、複数のクラッシュリブ８８を含む。複数のクラッシュリブ８８は、外側コネクタハウジング５１の外周において事前選択された間隔で配置される。図示のように、２つのこのようなクラッシュリブ８８は、ワイヤオーガナイザー８５の各側部上に配置される。これらのクラッシュリブ８８は、外側方向に延びて、コネクタハウジング内側経路５３の内面と接触する。好適には、一対の留め具８９もワイヤオーガナイザー８５の２つの対向側部上に設けられ、これらの２つの対向側部から外側方向の延びる。これらの留め具８９は、角度付きの引き込み面９０を有する。これらの引き込み面９０は、留め具８９の前面および停止または留め具面に沿って配置される。前記停止または留め具面は、ワイヤオーガナイザー８５の側部に対して概して垂直方向に外側方向に延びる。
【００２５】
好適には、開口部８７ａ〜８７ｂは全て、ケーブル５２の挿入方向に沿ってテーパー付けされ、これにより、ワイヤオーガナイザー８５の後面１１８ａにおける直径は、ワイヤオーガナイザー８５の前面１１８ｂにおける開口部８７ａ〜８７ｂの直径よりも小さい。このようなテーパー付けにより、その開口部８７ａ〜８７ｂが一端においてケーブル５２とぴったりと係合する点までワイヤオーガナイザー８５を前記ワイヤ上へとスライドさせることが可能となる。この点において、これらの開口部は、その他の端部よりも若干大きい。
【００２６】
ワイヤオーガナイザー８５およびスペーサ７０双方は、平坦面１２０および１２１を有する。平坦面１２０および１２１は、相互に対向し、停止面を規定する。これらの停止面は、これらの停止面間のケーブルアセンブリの内部領域の境界を協働して規定する。この内部領域には、ホットメルト（典型的には熱硬化性接着剤）が注入され、これにより、ケーブル５２を結束し、かつ前記ケーブルアセンブリの剛性および質量を増加させ、特に、関連付けられたコネクタハウジング５１への前記ケーブルアセンブリの挿入が容易になる。このホットメルトが硬化すると、ケーブルアセンブリ６８の本体部１００が規定される。なぜならば、本体部１００はケーブルワイヤ５４をまとめて封入するため、回路基板５８および５９の後端縁部およびワイヤオーガナイザ双方における固定点の存在により、ケーブルアセンブリ６８をコネクタハウジング経路５３に挿入した際にこれらの（撓み易い）ケーブルワイヤ５４が外側方向に撓む事態が回避される。この本体部１００は好適にはワイヤオーガナイザー８５および前記スペーサに接するため、（間隔を空けて配置された２つの位置において（例えば、ワイヤオーガナイザー８５および終端部から前記回路基板５８および５９へと）ワイヤ５４をその長さ方向において固定した場合に発生するような）ワイヤ５４が前後方向に移動する事態が回避される。ホットメルトを利用すると有用である理由は、ホットメルトは低圧で塗布されるからである。前記本体部の形成において熱可塑性物質を用いた場合、必要な高噴射圧力がケーブル５２のｔｗｉｎａｘワイヤ５４の絶縁部と衝突し、また、回路基板５８および５９上の終端領域上のにじみまたははみだしも発生し得て、その結果、キャパシタンスの増加およびインピーダンスの望ましくないレベルまでの低下に起因して、この領域内のコネクタのインピーダンスに悪影響が出る。
【００２７】
本体部１００はまた、回路基板５８および５９の後端縁部６２におけるワイヤ終端部における張力緩和も提供し、成形過程時における前記ホットメルトの接着に起因して、前記ワイヤオーガナイザーへとその前面１１８ｂに沿って及び開口部８７ａ〜８７ｂ内へと接合し、また、スペーサ７０の平坦後面７９および回路基板５８および５９の後端縁部６２へと接合する。上記のような構成と、終端パッド６４に対する導体自由端部の終端部とにより、複数の回路基板５８および５９はアセンブリ６８内の所定位置に固定される。
【００２８】
従来、上記した米国特許第７，１７５，４４４号中に例示されるように、ケーブルワイヤの自由端部は、ハウジング壁部間の終端ネスト領域内の回路カード（単数または複数）へと終端しており、その後、プラスチックまたはホットメルトが（回路カードへと終端した露出導体を含む）前記ワイヤ上に形成されていた。これは、得られるコネクタの構造的完全性を確保する目的のために主に行われていた。しかし、プラスチックの誘電率は空気よりも高いため、当該領域においてコネクタのキャパシタンスが上昇し、その結果、コネクタの当該部位におけるインピーダンスの低下に繋がる。このようなコネクタにおけるインピーダンス低下がある場合、ピーク値が約１０３オームから約９２オームまで低下するため、１１オームの低下となり、有害である。このような低下は、高速における低下としては過剰であり、システム内におけるノイズおよびクロストークの原因となる。高速データ伝送の目的は、典型的なインピーダンスプロファイルをできるだけ平均化し、大きな低下およびピークを回避することである。１つの標準的な公差範囲は１００オーム＋／−１０％であり、すなわち、嵌合インターフェイスでのインピーダンスプロファイルの境界は約９０〜約１００オームであることが望ましい。上述したように、これは、データ伝送速度が１〜２Ｇｂ／ｓである場合には適切であるが、約１０〜約１２Ｇｂ／ｓを越えた高速においては、嵌合インターフェイスにおいてシステムにノイズが発生する。本出願の開示のコネクタにおいては、インピーダンス低下は約８オームの低下まで低減し、前記プロファイル上のピークは約１０３オームから約９６オームまで低下し、これにより、前記ケーブルコネクタにおけるインピーダンスプロファイルの大きさが緩和される。
【００２９】
図１２〜図１６Ｃは、本出願の開示に従って構築された別のコネクタ２００を示す。コネクタ２００内において、コネクタハウジングはタンデム形式であり、２つのケーブルサブアセンブリ６８を受容する。各ケーブルアセンブリ６８の構造は同じであるが、コネクタハウジング２０１のみが変えてある。コネクタハウジング２０１は矩形形状であり、４つの壁部を有する。これら４つの壁部は、相互接続されて、中空内部経路２０２を協力的に規定する。コネクタハウジング２０１は、一対の溝部２０４を含む。これらの溝部２０４は、内部経路２０２内において長手方向に延び、これらの溝部により、コネクタ２００のハウジングおよびアセンブリの成形が容易になる。分割部材２０５が設けられ、溝部２０４内に受容される。分割部材２０５は、内側壁部を規定する。前記内側壁部は、内部経路２０２を一対のサブ経路２０６に分割する。このようなサブ経路２０６はそれぞれ、内部において単一のケーブルアセンブリ６８を受容する。
【００３０】
分割部材２０５は長細形状であり、好適にはコネクタハウジング２０１の長さ全体において延び、その対向する端部（例えば、クリップ２０８および指部２１０）において形成された係合部材を含み得る。これらのクリップ２０８は、コネクタハウジング２０１の後面２１３に沿って形成された溝部２１２内へと延び、指部２１０は片持ち突起部であり、分割部材２０５の前部に配置され、分割部材２０５の中心軸に対して外側方向に屈曲される。図１６Ａ〜図１６Ｃに示すように、コネクタハウジングの上壁部および下壁部２１４および１５は、凹部２１６を含む。凹部２１６は、溝部２０４内に配置される。指部２１０は凹部２１６内へと延び、その停止面２１７に保持され、これにより、分割部材２０５が緩まるのを回避する。開口部２１８は、前記ケーブルアセンブリの係合部材８９および９０と整列した状態で係合するために内部に形成される。
【００３１】
本出願の開示の多数の改変が可能であることが理解される。圧縮コネクタアセンブリおよび／その構成要素（例えば、本明細書中に個々に開示または請求される本明細書中に開示される特徴の組み合わせ（このような特徴または他の種類の接触アレイコネクタのさらなる組み合わせを明示的に含む））の多くの改変および変更は、当業者にとって明白である。また、材料および構成においても、多数の可能な改変が存在する。これらの改変および／または変更は、本出願の開示が関連する分野にあてはまり、以下の特許請求の範囲内において意図される。また、１つの請求項において単一の要素が言及された場合、１つ以上の当該要素を網羅することが意図される点にも留意されたい。
【図１】
0005411388.tif 000002
【図２】
0005411388.tif 000003
【図３】
0005411388.tif 000004
【図３Ａ】
0005411388.tif 000005
【図４】
0005411388.tif 000006
【図５】
0005411388.tif 000007
【図６】
0005411388.tif 000008
【図７Ａ】
0005411388.tif 000009
【図７Ｂ】
0005411388.tif 000010
【図７Ｃ】
0005411388.tif 000011
【図７Ｄ】
0005411388.tif 000012
【図８】
0005411388.tif 000013
【図９】
0005411388.tif 000014
【図１０Ａ】
0005411388.tif 000015
【図１０Ｂ】
0005411388.tif 000016
【図１１】
0005411388.tif 000017
【図１２】
0005411388.tif 000018
【図１３】
0005411388.tif 000019
【図１４Ａ】
0005411388.tif 000020
【図１４Ｂ】
0005411388.tif 000021
【図１５Ａ】
0005411388.tif 000022
【図１５Ｂ】
0005411388.tif 000023
【図１６Ａ】
0005411388.tif 000024
【図１６Ｂ】
0005411388.tif 000025
【図１６Ｃ】
0005411388.tif 000026